(57)【要約】【課題】加熱対象物が垂れ落ちるのを防止し、さらに取り扱いに便利なオーブントースタを得る。【解決手段】加熱対象物を加熱する加熱室３と、加熱室３の前面開口部分を開閉するためのドア２と、ドア２の開閉に連動して加熱室３から出し入れされる焼網７と、焼網７の奥側を加熱室３の側壁に対して加熱室３の奥行き方向前後に変位可能に支持し、加熱室奥側へ引き込むコイルバネ１０を有する支持棒９とを備えたオーブントースタＡにおいて、焼網７は、前面部分にドア２の内面下方に突起される突片２０に引っ掛けるための係止部７ｅを設け、焼網７の網目部７ｂを３ｍｍ以上１５ｍｍ以下の格子形状状とするとともに、焼網７の前面部分に取手部７ｄを形成する。【選択図】　　　　図１
2004053083.tif 000002
【特許請求の範囲】
【請求項１】
加熱対象物を加熱処理するオーブントースタであって、前記加熱対象物を載せる焼網の網目を３ｍｍ以上１５ｍｍ以下の格子形状で形成し、前記焼網の前側部分に取手部を形成することを特徴とするオーブントースタ。
【請求項２】
加熱対象物を加熱する加熱室と、該加熱室の前面開口部分を開閉するためのドアと、該ドアの開閉に連動して前記加熱室から出し入れされる焼網と、該焼網の奥側を前記加熱室の側壁に対して前記加熱室の奥行き方向前後に変位可能に支持し、加熱室奥側へ引き込む弾性部材を有する支持棒とを備えたオーブントースタにおいて、
前記焼網は、前面部分に前記ドアの内面下方に突起される突片に引っ掛けるための係止部を設け、前記焼網の網目を３ｍｍ以上１５ｍｍ以下の格子形状状とするとともに、前記焼網の前面部分に取手を形成することを特徴とするオーブントースタ。
【請求項３】
前記焼網の取手部及び係止部を一体部品で形成することを特徴とする請求項２記載のオーブントースタ。
【発明の詳細な説明】
【０００１】
【発明の属する技術分野】
本発明は、一般家庭で使用するオーブントースタに関するものである。特に加熱対象を載せるための焼網に関するものである。
【０００２】
【従来の技術】
図７は従来のオーブントースタの焼網を表す図である。ここで７ｅは係止部である。図７のように、従来のオーブントースタの焼網は格子の間隔も広く平行に（ストライプ状に）配列されたものが多い。また、例えば特開平１１−１５９７７５に示すようなオーブントースタもある。このオーブントースタは、線材をストライプ模様に組み上げた主棚の上に、それと類似した構成の補助棚を取り付ける。これにより、餅等の加熱により軟らかくなる加熱対象物を加熱処理する際に、それを支えるポイントをできるだけ多くし、軟らかくなった加熱対象物の一部を垂れ落ちにくくさせるようにしている。
【０００３】
【発明が解決しようとする課題】
図８は従来の焼網で餅等を焼いたときの状態を表す図である。上記従来例では、餅等を加熱調理する時は焼網の格子の間隔が広く、焼網の間から垂れ落ちた餅等の形を崩さずに焼き上げることが難しかった。また垂れ落ちた餅が下側のヒータに付着すると、発炎、発火の原因となることもあり、安全上、衛生上問題があった。また、主棚と補助棚とを有するオーブントースタの場合には、主棚と補助棚とが２部品で構成されているため、製造コストも高くなる上に取り扱いも面倒であった。
【０００４】
本発明は、このような問題を解決するためになされたものであり、加熱対象物が垂れ落ちるのを防止し、さらに取り扱いに便利なオーブントースタを得ることを目的とする。
【０００５】
【課題を解決するための手段】
そのため、本発明に係るオーブントースタは、加熱対象物を加熱処理するオーブントースタであって、加熱対象物を載せる焼網の網目を３ｍｍ以上１５ｍｍ以下の格子形状で形成し、焼網の前側部分に取手部を形成するものである。
【０００６】
また、本発明に係るオーブントースタは、加熱対象物を加熱する加熱室と、加熱室の前面開口部分を開閉するためのドアと、ドアの開閉に連動して加熱室から出し入れされる焼網と、焼網の奥側を加熱室の側壁に対して加熱室の奥行き方向前後に変位可能に支持し、加熱室奥側へ引き込む弾性部材を有する支持棒とを備えたオーブントースタにおいて、焼網は、前面部分にドアの内面下方に突起される突片に引っ掛けるための係止部を設け、焼網の網目を３ｍｍ以上１５ｍｍ以下の格子形状状とするとともに、焼網の前面部分に取手を形成するものである。
【０００７】
また、本発明に係るオーブントースタは、焼網の取手部及び係止部を一体部品で形成するものである。
【０００８】
【発明の実施の形態】
実施の形態１．
図１は本発明の第１の実施の形態に係るオーブントースタの構成を示す図である。また、図２はオーブントースタの側面透視図である。図１及び図２において、Ａは本実施の形態に係るオーブントースタである。１はオーブントースタＡのケースである。２はケース１の前面に設けられ、底辺がケース１とヒンジ結合されており、前倒し状態で開閉可能に取り付けられたドアである。ここでは、ドア２の開き角度を約９０度に規制し、垂れ下がらないようにしている。３はケース１内部に設けられた加熱室である。４はケース１の左右壁内部から所要間隔を空けて設けられた、加熱室３の左右側面となる左右反射板である（図１では片方の左右反射板だけを示している）。５はケース１の奥壁内部から天井壁内部にかけて所要間隔を空けて設けられた奥反射板である。６は左右反射板４及び奥反射板５により囲まれる空間の上下の位置に設けられ、加熱対象を加熱する棒状のヒータである。
【０００９】
図３は本実施の形態の焼網７を表す図である。焼網７は枠部７ａ、網目部７ｂ、Ｌ形係止部７ｃ、取手部７ｄ及び係止部７ｅで構成される。特に限定しないものの、焼網７全体がコーティング加工されるようにしておいてもよい。枠部７ａは例えばステンレス鋼の線材を加工したものからなる。
【００１０】
図４は加熱対象物を焼網７に載せた場合の断面図である。本実施の形態では網目部７ｂの平面部を一辺が３ｍｍ以上１５ｍｍ以下の網目で形成するようにする。また、菱形の網目を形成するものとする。網目を細かくすることで、加熱によって軟らかくなった餅等が垂れ落ちるのを防止できる。一方、細かくしすぎると目詰まりを起こす可能性があるが、焼網７は取り出すことが可能であり、洗浄等の掃除を行うことができるので、その限界をできるだけ細かくし、３ｍｍに設定するものである。Ｌ形係止部７ｃは支持棒９を引っ掛けるために枠部７ａの左右部分にそれぞれ１個ずつ設けられたものである。枠部７ａの前後の延在部分の奥端側に、側面から見て下向きに突出する状態で結合されている。
【００１１】
取手部７ｄは焼網７の前面中央部分に形成されている。例えば、焼網７を掃除するために取り出す際、網目部７ｂの網目を細かくすると指が引っ掛けにくく、取り出しにくい（つまみにくい）ことから、これを解消し、便利にするために設けたものである。係止部７ｅは線材を加工し、焼網７がドア２の開閉に連動して前後に移動できるように、ドア２内面に設けられた突片２０に焼網７を引っ掛けるための空間を形成する。ここで、本実施の形態では取手部７ｄと係止部７ｅとを一体部材で形成し、枠部７ａに固着する。これにより、焼網７の形状を安定させることができ品質を向上させることができる。またコスト削減を図れる。
【００１２】
８は左右反射板４に円弧状に穿設され、焼網７を水平に保ったまま移動させるためのガイドをするカム状長孔である。９は左右両側のカム状長孔８の間を架け渡している直線形状の支持棒である。支持棒９はＬ形係止部７ｃに引っ掛けられ、ドア２の開閉によってカム状長孔８に沿って移動する。１０はコイルバネである。コイルバネ１０の一端はケース１と他端は支持棒９と係止され、ケース１の内側と左右反射板４との隙間の空間に設けられている。コイルバネ１０の復元しようとする弾発付勢力が支持棒９、Ｌ形係止部７ｃ及び係止部７ｅを介して突片２０まで伝達され、この力によりドア２がケース１内部方向に引っ張られる。そのため、ドア２を閉じた状態では、ケース１外部から力を加えない限り、勝手にドア２が開くことはない。２０は係止部７ｅが引っ掛けられ、ドア２の開閉と連動させて焼網７を引き出すためにドア２の内面下方に突設された突片である。
【００１３】
このようにオーブントースタＡを構成することにより、加熱対象物をヒータ６に接触させることもなく、また焼網７を容易に取り出すことができる。
【００１４】
以上のように第１の実施の形態によれば、焼網７の網目部７ｂの網目の格子間隔を３ｍｍ以上１５ｍｍ以下とし、加熱対象物を支持する点数を多くするようにしたので、加熱して軟らかくなった餅等の加熱対象物が垂れ落ちて下側のヒータ６に接触し、発炎、発火するのを防ぐことで、安全なオーブントースタを得ることができる。また、焼網７を１部品で形成したので、製造コストを削減でき、取り扱いも容易になる。
【００１５】
実施の形態２．
図５は本発明の第２の実施の形態の焼網７Ａを表す図である。焼網７Ａは取手７ｄが形成する空間と係止部７ｅが形成する空間とが同一になるように線材を加工しているという点で焼網７とは異なる。
【００１６】
以上のように、本実施の形態では、焼網７Ａのような取手７ｄ及び係止部７ｅを形成するようにしたので、形成の際の線材の加工を容易にすることができる。
【００１７】
実施の形態３．
図６は本発明の第３の実施の形態の焼網７Ｂを表す図である。焼網７Ｂは係止部７ｅの空間が形成される面と網目部７ｂが形成される面とが異なる点で焼網７とは異なる。
【００１８】
以上のように、本実施の形態では、係止部７ｅの空間が形成される面と網目部７ｂが形成される面とを異ならせるようにしたので、枠部７ａを矩形に加工した上で網目部７ｂを形成することができるようになり、枠部７ａ、網目部７ｂ形成の際の線材の加工を容易にすることができる。
【００１９】
実施形態４．
上述の実施の形態では３種類の焼網について説明したが、本発明はこれに限定されるものではなく、網目部７ｂの格子間隔を３ｍｍ以上１５ｍｍ以下にして、取手部７ｄを形成するようにすれば、形状は上述した焼網に限定されるものではない。また、加熱対象物の支持点数を多くすることができれば、網目の形状は、特に限定しなくてもよい。さらに、このような焼網を１部品として構成できれば、なおよい。
【００２０】
【発明の効果】
以上のように本発明によれば、加熱対象物を支持する点数を多くし、かつ、目詰まりを防止するような大きさの網目を形成するようにしたので、軟らかな加熱対象物が網目から垂れ落ちるのを防ぎ、ヒータに接触し、発炎、発火するのを防ぐことにより、安全なオーブントースタを得ることができる。また、焼網の前側部分に取手部を形成するようにしたので、網目が細かくても、例えば焼網を取り出して掃除等する場合には、加熱室内からの取り出しを容易に行うことができ、取り扱いが便利である。
【００２１】
また、本発明に係るオーブントースタは、焼網に前面部分にドアの内面下方に突起される突片に引っ掛けるための係止部を設け、焼網の網目を３ｍｍ以上１５ｍｍ以下の格子形状とするとともに、焼網の前面部分に取手を形成するようにしたので、目詰まりを防止しつつ、かつ、軟らかな加熱対象物が網目から垂れ落ちるのを防ぎ、ヒータに接触し、発炎、発火するのを防ぐことにより、安全なオーブントースタを得ることができる。また、焼網はドアと連動して移動し、また取り出すことができるので、焼網の掃除等の際には、取手により加熱室内からの取り出しを容易に行うことができるようになり、取り扱いが便利である。
【００２２】
また、本発明によれば、焼網の取手部及び係止部を一体部品で形成するようにしたので、製造コストの削減を図ることができ、部品を１つにできるので取り扱いを容易にすることができる。
【図面の簡単な説明】
【図１】本発明の第１の実施の形態に係るオーブントースタの構成を示す図である。
【図２】オーブントースタの側面透視図である。
【図３】本実施の形態の焼網７を表す図である。
【図４】加熱対象物を焼網７に載せた場合の断面図である。
【図５】本発明の第２の実施の形態の焼網７Ａを表す図である。
【図６】本発明の第３の実施の形態の焼網７Ｂを表す図である。
【図７】従来のオーブントースタの焼網を表す図である。
【図８】従来の焼網で餅等を焼いたときの状態を表す図である。
【符号の説明】
Ａ　オーブントースタ、１　ケース、２　ドア、３　加熱室、４　左右反射板、５　奥反射板、６　ヒータ、７、７Ａ、７Ｂ　焼網、７ａ　枠部、７ｂ　網目部、７ｃ　Ｌ形係止部、７ｄ　取手部、７ｅ　係止部、８　カム状長孔、９　支持棒、１０　コイルバネ、２０　突片。
【図１】
2004053083.tif 000003
【図２】
2004053083.tif 000004
【図３】
2004053083.tif 000005
【図４】
2004053083.tif 000006
【図５】
2004053083.tif 000007
【図６】
2004053083.tif 000008
【図７】
2004053083.tif 000009
【図８】
2004053083.tif 000010